【手続補正書】
【提出日】平成19年7月13日(2007.7.13)
【手続補正１】
【補正対象書類名】明細書
【補正対象項目名】特許請求の範囲
【補正方法】変更
【補正の内容】
【特許請求の範囲】
【請求項１】  記録媒体と、色調を異にする記録剤を前記記録媒体に付与するための複数の記録へッドとを相対的に走査することにより画像を形成していく記録装置であって、
前記複数の記録ヘッドのそれぞれで、前記記録媒体の所定の位置に所定の画像を形成させる画像形成手段と、
前記記録媒体に対して相対的に走査され、前記所定の画像を検出するための光学センサと、
前記複数の記録ヘッドのそれぞれで形成された前記所定の画像を検出する際に前記光学センサの調整を行う調整手段と、
前記光学センサが前記所定の画像を検出して得られた出力結果により、前記複数の記録ヘッドそれぞれで形成した画像の間隔を計測する計測手段と、
該計測手段による計測に基づいて前記複数の記録ヘッドによる記録位置のずれ量を演算するデータ処理手段と、
を具えたことを特徴とする記録装置。
【請求項２】  前記データ処理手段によって演算された記録位置のずれ量に基づいて、前記複数の記録ヘッドにより形成する画像データの補正または前記記録媒体への吐出タイミングの補正を行うことにより、前記複数の記録ヘッドによる記録位置のずれを補正する補正手段を具えたことを特徴とする請求項１に記載の記録装置。
【請求項３】  前記複数の記録ヘッドを前記記録媒体に対して主走査方向に相対的に走査させる手段を具え、前記所定の画像は前記複数の記録ヘッドのそれぞれで前記主走査方向に並んで形成される画像であり、当該画像の間隔の計測およびこれに基づいて演算されたずれ量に基づいて、前記補正手段は前記複数の記録ヘッドによる前記主走査方向の記録位置のずれを補正することを特徴とする請求項２に記載の記録装置。
【請求項４】  前記記録媒体を前記複数の記録ヘッドに対して副走査方向に相対的に移動させる手段を具え、前記所定の画像は前記複数の記録ヘッドのそれぞれで前記副走査方向に並んで形成される画像であり、当該画像の間隔の計測およびこれに基づいて演算されたずれ量に基づいて、前記補正手段は前記複数の記録ヘッドによる前記副走査方向の記録位置のずれを補正することを特徴とする請求項２に記載の記録装置。
【請求項５】  前記光学センサは、記録媒体へ光を照射する発光部と該記録媒体からの反射光量を検知する受光部とを有することを特徴とする請求項１ないし４のいずれかに記載の記録装置。
【請求項６】  前記発光部が照射した光の照射領域の平均濃度によって前記受光部が検知する受光量が変化することを特徴とする請求項５に記載の記録装置。
【請求項７】  前記光学センサは、前記記録媒体に対し相対移動しながら前記所定の画像を検知する際に、前記所定の画像が記録された領域と非記録領域との境界において変動する反射光量が所定の閾値を超えた時点を画像のエッジ部分と判断し、前記計測手段は、前記複数の記録ヘッドそれぞれで形成された画像のぞれぞれのエッジが検出されるタイミングから、前記画像の間隔を計測することを特徴とする請求項６に記載の記録装置。
【請求項８】  前記複数の記録ヘッドを前記記録媒体に対して主走査方向に相対的に走査させる手段を具え、前記所定の画像は前記複数の記録ヘッドのそれぞれで前記主走査方向に形成される画像であり、前記光学センサは、前記記録媒体に対し前記主走査方向に一定の相対速度で移動しながら前記所定の画像を検知し、前記計測手段は、前記複数の記録ヘッドそれぞれで形成された画像のぞれぞれのエッジが検出される時間間隔と前記相対速度との積から前記ぞれぞれのエッジの距離を計測し、前記画像の間隔とすることを特徴とした請求項７に記載の記録装置。
【請求項９】  前記記録媒体を前記複数の記録ヘッドに対して副走査方向に相対的に移動させる手段を具え、前記所定の画像は前記複数の記録ヘッドのそれぞれで前記副走査方向に形成される画像であり、前記光学センサは、前記記録媒体に対し前記副走査方向に一定の相対速度で移動しながら前記所定の画像を検知し、前記計測手段は、前記複数の記録ヘッドそれぞれで形成された画像のぞれぞれのエッジが検出される時間間隔と前記相対速度の積から前記ぞれぞれのエッジの距離を計測し、前記画像の間隔とすることを特徴とした請求項７に記載の記録装置。
【請求項１０】  前記調整手段は、前記複数の記録ヘッドのそれぞれで、前記記録媒体の所定の位置に前記所定の画像を検出する際の調整を行うための調整用画像を前記画像形成手段により形成させ、前記光学センサにより前記調整用画像の検出を行わせ、当該検出によって得られた出力結果に基づいて前記光学センサの調整を行うことを特徴とする請求項１ないし９のいずれかに記載の記録装置。
【請求項１１】  前記調整用画像は、前記複数の記録ヘッドそれぞれにより一様な濃度で記録された複数のパッチであり、前記調整手段では、前記光学センサによって前記パッチ中央部を検出した時の受光量が前記所定の閾値に達するような発光量を、前記複数の記録ヘッドそれぞれの調整発光量とし、前記所定の画像を検出する際には、前記複数の記録ヘッドそれぞれで形成された画像に対して、前記それぞれの調整発光量で検出することを特徴とする請求項１０に記載の記録装置。
【請求項１２】  前記調整用画像は、前記複数の記録ヘッドそれぞれにより一様な濃度で記録された複数のパッチであり、前記調整手段では、前記光学センサによって所定の発光量で前記パッチ中央部を検出した時の受光量を、前記複数の記録ヘッドそれぞれの調整閾値とし、前記所定の画像を検出する際には、前記複数の記録ヘッドそれぞれが記録した画像に対して、前記それぞれの調整閾値で検出することを特徴とする請求項１０に記載の記録装置。
【請求項１３】  記録媒体と、色調を異にする記録剤を前記記録媒体に付与するための複数の記録へッドとを相対的に走査することにより画像を形成していく記録装置の記録位置補正方法であって、
前記複数の記録ヘッドのそれぞれで、前記記録媒体の所定の位置に所定の画像を形成させる画像形成工程と、
前記記録媒体に対して相対的に走査される光学センサを用い、前記所定の画像を検出するための画像検出工程と、
前記複数の記録ヘッドのそれぞれで形成された前記所定の画像を検出する際に前記光学センサの調整を行う調整工程と、
前記画像検出工程で得られた出力結果によって、前記所定の画像として前記複数の記録ヘッドそれぞれで形成した画像の間隔を計測する計測工程と、
当該計測に基づいて前記複数の記録ヘッドによる記録位置のずれ量を演算するデータ処理工程と、
当該データ処理で得られた前記ずれ量を補正しながら画像を記録する工程と
を具えたことを特徴とする記録位置補正方法。
【手続補正２】
【補正対象書類名】明細書
【補正対象項目名】００１２
【補正方法】変更
【補正の内容】
【００１２】
【課題を解決するための手段】
そのために本発明では、記録媒体と、色調を異にする記録剤を前記記録媒体に付与するための複数の記録へッドとを相対的に走査することにより画像を形成していく記録装置であって、前記複数の記録ヘッドのそれぞれで、前記記録媒体の所定の位置に所定の画像を形成させる画像形成手段と、前記記録媒体に対して相対的に走査され、前記所定の画像を検出するための光学センサと、前記複数の記録ヘッドのそれぞれで形成された前記所定の画像を検出する際に前記光学センサの調整を行う調整手段と、前記光学センサが前記所定の画像を検出して得られた出力結果により、前記複数の記録ヘッドそれぞれで形成した画像の間隔を計測する計測手段と、該計測手段による計測に基づいて前記複数の記録ヘッドによる記録位置のずれ量を演算するデータ処理手段と、を具えたことを特徴とする。
【手続補正３】
【補正対象書類名】明細書
【補正対象項目名】００１３
【補正方法】変更
【補正の内容】
【００１３】
また、記録媒体と、色調を異にする記録剤を前記記録媒体に付与するための複数の記録へッドとを相対的に走査することにより画像を形成していく記録装置の記録位置補正方法であって、前記複数の記録ヘッドのそれぞれで、前記記録媒体の所定の位置に所定の画像を形成させる画像形成工程と、前記記録媒体に対して相対的に走査される光学センサを用い、前記所定の画像を検出するための画像検出工程と、前記複数の記録ヘッドのそれぞれで形成された前記所定の画像を検出する際に前記光学センサの調整を行う調整工程と、前記画像検出工程で得られた出力結果によって、前記所定の画像として前記複数の記録ヘッドそれぞれで形成した画像の間隔を計測する計測工程と、当該計測に基づいて前記複数の記録ヘッドによる記録位置のずれ量を演算するデータ処理工程と、当該データ処理で得られた前記ずれ量を補正しながら画像を記録する工程とを具えたことを特徴とする。